(57)【特許請求の範囲】
【請求項１】
軒樋が設けられた建築物の外壁に取り付けられる軒先構造物であって、
前記外壁に固定される外壁取付け片、前記外壁取付け片から前記軒樋の下方に沿って外方に延びる間隔調整片および前記間隔調整片から前記軒樋の外面に沿って上方に延びる庇取付け片を備える庇支持具と、
前記外壁に所定間隔毎に取り付けられた複数の前記庇支持具に固定される庇とを有し、
前記庇支持具を介して前記軒樋の外側に前記庇を取り付けることを特徴とする軒先構造物。
【請求項２】
請求項１記載の軒先構造物であって、前記庇支持具は、前記建築物の開き戸の上部に後付けされることを特徴とする軒先構造物。
【請求項３】
請求項１または２記載の軒先構造物であって、前記庇支持具は、２つのＬ字材の組み合わせによって構成され、第１のＬ字材の一片が前記外壁付け片をなし、第２のＬ字材の一片が前記庇取付け片をなし、前記２つのＬ字材の他片同士を連結して前記間隔調整片を形成することを特徴とする軒先構造物。
【請求項４】
請求項１または２記載の軒先構造物であって、前記庇支持具は、前記外壁取付け片、前記間隔調整片および前記庇取付け片が一体的に形成されていることを特徴とする軒先構造物。
【請求項５】
請求項１記載の軒先構造物であって、前記庇の傾斜角度に対応して折り曲げられた板材によって構成され、前記庇と前記軒樋との接続箇所を覆うように配置された庇カバーを有することを特徴とする軒先構造物。
【請求項６】
請求項５記載の軒先構造物であって、前記庇カバーはアルミニウムなどの金属板でなることを特徴とする軒先構造物。
【発明の詳細な説明】
【０００１】
【発明の属する技術分野】
本発明は、庇を備えていない建築物の外壁に取り付けられる軒先構造物、特に、出入口の上方に庇を後付けし得る軒先構造物に関するものである。
【０００２】
【従来の技術】
庇を備えていない建築物の出入口の上方に、庇の取り付け工事を行う場合、庇は一般には出入口と軒樋との間の外壁に設置される。出入口の戸が引き戸であれば、出入口と軒樋との間の間隔が充分でない場合であっても、庇は戸の開閉に何らの支障も来たさないが、戸が外開きの開き戸であると、庇の長さや傾斜度、取付位置などによって、戸を開ける際に、庇の下面側が戸の上端面に干渉し、戸の開閉に支障を来たしてしまう。このため、庇の設置を断念せざるを得ないこともあった。
【０００３】
また、たとえ出入口の戸が引き戸であっても、地面から軒樋までの高さが充分に確保されていないような建物に庇を設置した場合には、庇の下を歩く際に、歩行者の頭が庇に接触してしまい、やはり、庇の設置を断念せざるを得ないこともあった。
【０００４】
【発明が解決しようとする課題】
本発明は上述のような従来技術の問題点に鑑みてなされたものであり、その目的は、出入口の戸が外開きの開き戸であっても、戸の開閉に支障を来たすことなく庇を取り付けることのできる軒先構造物を提供することにある。
【０００５】
本発明の他の目的は、地面から軒樋までの高さが充分に確保されていないような建物であっても、歩行者が安心して庇の下を歩くことができる軒先構造物を提供することにある。
【０００６】
【課題を解決するための手段】
本発明の軒先構造物は、軒樋が設けられた建築物の外壁に取り付けられるものであって、前記外壁に固定される外壁取付け片、前記外壁取付け部から前記軒樋の下方に沿って外方に延びる間隔調整片および前記間隔調整片から前記軒樋の外面に沿って上方に延びる庇取付け片を備える支持具と、前記外壁に所定間隔毎に取り付けられた複数の前記庇支持具に固定される庇とを有し、前記庇支持具を介して前記軒樋の外側に前記庇を取り付けることを特徴とする。
【０００７】
本発明の軒先構造物は、前記庇支持具が、前記建築物の前記開き戸の上部に圧付けされることを特徴とする。
【０００８】
本発明の軒先構造物は、前記庇支持具が２つのＬ字材の組み合わせによって構成され、第１のＬ字材の一片が前記外壁付け片をなし、第２のＬ字材の一片が前記庇取付け片をなし、前記２つのＬ字材の他片同士を連結して前記間隔調整片を形成することを特徴とする。
【０００９】
本発明の軒先構造物は、前記庇支持具の前記外壁取付け片、前記間隔調整片および前記庇取付け片が一体的に形成されていることを特徴とする。
【００１０】
本発明の軒先構造物は、庇の傾斜角度に対応して折り曲げられた金属板によって構成され、前記庇と前記軒樋との接続箇所を覆うように配置された庇カバーを有することを特徴とする。
【００１１】
本発明の軒先構造物によれば、庇は、庇支持具の庇取付け部に固定され、常に開き戸の開閉領域より上方に位置するため、開き戸の開閉に支障を来たすことはない。
【００１２】
【発明の実施の形態】
以下、本発明の実施の形態を図面に基づいて詳細に説明する。
【００１３】
図１は本発明の軒先構造物を建築物１０の外側に取り付けた状態を模式的に示す斜視図であり、図２は図１のＡ−A線に沿う拡大部分断面図である。図１および図２には屋根１１の軒先側が示されている。屋根１１を支える柱１２は所定間隔で立設されており（図示しない）、軽量鉄骨でなる垂木１３が棟木（図示しない）から柱１２の上端部に傾斜して架け渡され、垂木１３の上には野地板１４が敷設され、更に、野地板１４の表面を軒先から上方に向かって、瓦１５が、互いの端部を覆うように固定されている。
【００１４】
屋根１１の軒先近傍の外壁１６には、内樋２１と外樋２２とで構成された軒樋２０が軒に沿って水平方向に設けられている。内樋２１は、亜鉛メッキなどの防触処理がなされた銅板やトタン板などの金属板にプレス加工を施すか、もしくは合成樹脂に成型加工を施すかして形成され、建築物１０の外壁１６にネジ止め２３される。内樋２１の雨水受け部２１ａの外面には爪片２１ｂが設けられており、この爪片２１ｂは、内樋２１の底面側を包むように配置された外樋２２の両端部に設けられた係合溝２２ａに係合し、これによって、内樋２１が外樋２２によって保護されている。図において、縦樋および枯葉除けは省略されている。
【００１５】
また、軒先には、屋根１１内部への雨水の侵入を防止すべく、金属板を階段状に折り曲げて形成した軒先水切り２４が備えられる。軒先水切り２４は、一端が野地板１４と瓦１５とによって挟持されるように取り付けられ、他端側が下向きに傾斜しており、屋根１１内部への雨水の侵入を防止する役目の他、雨水を内樋２１の雨水受け部２１ａに集める役目も果たしている。
【００１６】
本発明の軒先構造物３０は、上述したような軒樋２０が設けられた建築物１０の出入口（開き戸）１７の上方に取り付けられるものである。図２に示すように、軒先構造物３０を構成する庇支持具３１は、２つのＬ字材３２，３３の組み合わせによって構成され、第１のＬ字材３２の一片３２ａが外壁取付け片３４をなし、第２のＬ字材３３の一片３３ａが庇取付け片３５をなしている。また、２つのＬ字材３２，３３の他片３２ｂ，３３ｂ同士は、ビス留め３６などの固定手段によって固定され間隔調整片３７をなしている。庇支持具３１は、間隔調整片３７が外樋２２の底面に接触するように建築物１０の外壁１６に配置され、外壁取付け片３４の上からボルト３８などの結合手段を用いて外壁１６に固定され、庇取付け片３５の前面に庇３９が取り付けられる。このとき、庇３９の下降端と開き戸１７の上端面との間には、図１および図２に示すように、隙間間隔Ｄ１が生じるので、本発明の軒先構造物３０によれば、庇３９は、常に開き戸１７の開閉領域より上方に位置するため、開き戸の開閉に支障を来たすことはない。
【００１７】
また、庇支持具３１の間隔調整片３７の長さは、Ｌ字材３２の他片３２ｂとＬ字材３３の他片３３ｂとの重なり領域Ｌを変えることによって任意に変更することができる。したがって、庇支持具３１は、建築物の外壁からの突出量の異なる、あらゆるタイプの軒樋２０に対応することができる。
【００１８】
この実施の形態では、本発明の軒先構造物３０は庇カバー４０を有する。庇カバー４０は、アルミニウムなどの金属板によって構成され、庇取付け片３５に対する庇３９の傾斜角度に応じて折り曲げられており、雨水による侵食を防止すべく、庇３９と軒樋２０との接続箇所を覆うように取り付けられている。
【００１９】
図３は庇支持具３１を示す斜視図である。図３に示すように、庇支持具３１は２つのＬ字材３２，３３の組み合わせによって構成され、第１のＬ字材３２の一片３２ａが外壁付け片３４をなし、第２のＬ字材３３の一片３３ａが庇取付け片３５をなし、Ｌ字材３２の他片３２ｂとＬ字材３３の他片３３ｂとをビス留め３６などの固定手段によって固定して間隔調整片３７を形成している。
【００２０】
図４は庇カバー４０を示す斜視図である。図４に示すように、庇カバー４０は青銅などの金属でなる板材を折り曲げて形成されており、軒樋カバー部４１と庇カバー部４２とを有し、雨水による侵食を防止すべく、庇３９と軒樋２０との接続箇所を覆うように取り付けられている。
【００２１】
軒樋カバー部４１と庇カバー部４２とが為す角度は、庇取付け片３５に対する庇３９の傾斜角度に応じて定められている。この実施の形態では、軒樋カバー部４１の長さ寸法が５０ｍｍに、庇カバー部４２の長さ寸法が１５０ｍｍに設定されているが、必要に応じて任意に変更できる。
【００２２】
本発明は前記実施の形態に限定されるものではなく、その要旨を逸脱しない範囲で種々変更可能である。
【００２３】
たとえば、この実施の形態では、庇支持具３１を構成する２つのＬ字材３２，３３はビス留め３６されているが、エポキシ樹脂系の接着剤によって接着してもよいし、溶接してもよい。また、１枚の金属板材に折り曲げ加工を施し、外壁取付け片３４、間隔調整片３７および庇取付け片３５を一体的に形成してもよい。
【００２４】
更に、図示された軒樋は箱樋タイプであるが、半円形状のタイプであっても本発明を適用できる。
【００２５】
【発明の効果】
本発明の軒先構造物によれば、庇は庇支持梁の庇取付け部に設けられ、常に開き戸の開閉領域より上方に位置するため、開き戸の開閉を干渉することなく庇を取り付けることができる。しかも、本発明の軒先構造物によれば、地面から軒樋までの高さが充分に確保されていないような建物であっても、歩行者が安心して庇の下を歩くことができる。
【図面の簡単な説明】
【図１】本発明の軒先構造物を建築物の外側に取り付けた状態を示す斜視図である。
【図２】図１のＡ−A線に沿う拡大部分断面図である。
【図３】庇支持具を示す斜視図である。
【図４】庇カバーを示す斜視図である。
【符号の説明】
１０        建築物
１１        屋根
１２        柱
１３        垂木
１４        野地板
１５        瓦
１６        外壁
１７        出入り口（開き戸）
２０        軒樋
２１        内樋
２１ａ      雨水受け部
２１ｂ      爪片
２２        外樋
２２ａ      係合溝
２３        ネジ留め
２４        軒先水切り
３０        軒先構造物
３１        庇支持具
３２        第１のＬ字材
３３        第２のＬ字材
３４        外壁取付け片
３５        庇取取付け片
３６        ビス留め
３７        間隔調整片
３８        ボルト
３９        庇
Ｄ１        隙間間隔
Ｌ          重なり領域
４０        庇カバー
４１        軒樋カバー部
４２        庇カバー部
【図１】
0003701631.tif 000002
【図２】
0003701631.tif 000003
【図３】
0003701631.tif 000004
【図４】
0003701631.tif 000005